(57)【要約】【課題】  容易に組み立て可能でありながら、長年の使用によっても水密性を確保可能な組み立て式水槽であって、さらに、美観を損ねることなくオーバーフロータイプの濾過装置を使用可能な水槽の提供。【解決手段】  辺縁に沿って溝部を有する底板と、周縁にパッキンを備えるとともにその下辺部を前記溝部に嵌合して立設される側壁と、該側壁の横辺部を挟持可能に形成された受け部材および押さえ部材からなる支柱と、該側壁および該支柱の上部に取り付けられる枠部材とを備えた組み立て式水槽であって、前記受け部材は水槽外側より前記側壁の横辺部を支持する翼片を対に備え、該翼片の内側にあてがわれた該側壁の横辺部を前記押さえ部材によって水槽内側より圧接し挟持することで該側壁を固定することを特徴とする組み立て式水槽。【選択図】  図１
2008212042.tif 000002
【特許請求の範囲】
【請求項１】
辺縁に沿って溝部を有する底板と、周縁にパッキンを備えるとともにその下辺部を前記溝部に嵌合して立設される側壁と、該側壁の横辺部を挟持可能に形成された受け部材および押さえ部材からなる支柱と、該側壁および該支柱の上部に取り付けられる枠部材とを備えた組み立て式水槽であって、前記受け部材は水槽外側より前記側壁の横辺部を支持する翼片を対に備え、該翼片の内側にあてがわれた該側壁の横辺部を前記押さえ部材によって水槽内側より圧接し挟持することで該側壁を固定することを特徴とする組み立て式水槽。
【請求項２】
前記翼片の内側には凹部が形成され、前記押さえ部材を前記受け部材に取り付けたときに該凹部は押さえ部材の平面視横辺部とともに前記側壁の横辺部を挟持可能な溝部を形成することを特徴とする請求項１に記載の組み立て式水槽。
【請求項３】
前記受け部材および前記押さえ部材により形成される前記溝部の開口幅は、前記側壁取り付け時のパッキンの厚さよりも狭くなるように形成されていることを特徴とする請求項１または請求項２のいずれかに記載の組み立て式水槽。
【請求項４】
前記支柱は、その内部に水槽濾過システムのための給水路または排水路が形成されるとともに、前記給水路が形成された支柱部材の上部側面には該給水路に連通するように給水口が設けられ、前記排水路が形成された支柱部材の上部および下部側面には該排水路に連通するように排水口が設けられ、前記底板には前記給排水路に対応する位置に取排水用の開口部が形成されていることを特徴とする請求項１ないし請求項３のいずれかに記載の組み立て式水槽。
【請求項５】
前記給水路または排水路が前記支柱の押さえ部材に形成されたことを特徴とする請求項１ないし請求項４のいずれかに記載の組み立て式水槽。
【発明の詳細な説明】
【技術分野】
【０００１】
本発明は、熱帯魚や水草の鑑賞用の組み立て式水槽に関するものである。
【背景技術】
【０００２】
従来、熱帯魚や水草の鑑賞用の水槽は、あらかじめ組み立てられた完成品を販売することが一般的に行われている。
【０００３】
かかる完成品の水槽の場合、ガラスやアクリル同士を接合する部分にはシリコン製接着剤等が用いられているが、こうしたシリコン接着剤等は長年の使用により劣化し、水漏れなどの原因となることもあった。さらに、あらかじめ組み立てられた水槽はかさばるため、保管コストや輸送コストなどの面からも課題を有していた。
【０００４】
したがって、長期使用によっても十分な水密性が保たれ、更に、保管や輸送などにも簡便な組み立て式水槽が望まれているが、例えば、特許文献１のものは、周壁を防水シートで構成したものであるため、水槽内を鑑賞するには適しておらず、また、特許文献２のものは、水密性については特別な配慮が払われていないため、従来と同様に、シリコンゴムなどによりコーキングを施す必要があった。
【０００５】
さらに、いわゆるオーバーフロータイプの濾過装置を備えた水槽は、水槽下部より給水管および排水管を水槽内部において立設させ、オーバーフローさせた水槽水を濾過装置により濾過する必要があるが、このタイプのものは、給排水管が水槽内の鑑賞の妨げになるため、水槽内の美観を損ねることなくオーバーフロータイプの濾過装置を使用可能な水槽も求められていた。
【０００６】
【特許文献１】特開２００３−９５号
【特許文献１】特開２０００−２４７３５５号
【発明の開示】
【発明が解決しようとする課題】
【０００７】
そこで本発明は、従来の水槽のかかる欠点を克服し、容易に組み立て可能でありながら、長年の使用によっても水密性を確保可能な組み立て式水槽であって、さらに、美観を損ねることなくオーバーフロータイプの濾過装置を使用可能な水槽の提供をその課題とするものである。
【課題を解決するための手段】
【０００８】
本発明は、上記課題を解決するものであり、辺縁に沿って溝部を有する底板と、周縁にパッキンを備えるとともにその下辺部を前記溝部に嵌合して立設される側壁と、該側壁の横辺部を挟持可能に形成された受け部材および押さえ部材からなる支柱と、該側壁および該支柱の上部に取り付けられる枠部材とを備えた組み立て式水槽であって、前記受け部材は水槽外側より前記側壁の横辺部を支持する翼片を対に備え、該翼片の内側にあてがわれた該側壁の横辺部を前記押さえ部材によって水槽内側より圧接し挟持することで該側壁を固定することを特徴とする組み立て式水槽である。
【０００９】
さらに、本発明の異なる態様は、前記支柱の内部に水槽濾過システムのための給水路または排水路が形成されるとともに、前記給水路が形成された支柱部材の上部側面には該給水路に連通するように給水口が設けられ、前記排水路が形成された支柱部材の上部および下部側面には該排水路に連通するように排水口が設けられ、前記底板には前記給排水路に対応する位置に取排水用の開口部が形成されていることを特徴とする組み立て式水槽である。
【発明の効果】
【００１０】
すなわち、本発明の組み立て式水槽は、容易に組み立て可能なため、保管時や輸送時にはスペースをとらず、よってそれらのコストを削減することができるというものである。
【００１１】
また、側壁に取り付けられるパッキンは容易に交換可能なため、仮に経時変化による劣化が生じた場合も、パッキン部分のみを交換すれば水槽の水密性は保たれるので、結果的に製品寿命も長くなる。
【００１２】
更に、本発明の組み立て式水槽で支柱部材が給排水管に形成されたものは、目立たずに水槽の濾過システムを設置することができるため、水槽内の鑑賞にも資するものである。
【発明を実施するための最良の形態】
【００１３】
以下、本発明の組み立て式水槽の一実施態様を、図面に基づいて具体的に説明する。なお、本発明はこれら実施態様に何ら制約されるものではない。
【００１４】
図１は本発明に係る組み立て式水槽の組み立て時の態様を示す斜視図である。図中、1は水槽本体を、１０は底板を、２０は側壁を、３０は支柱を、４０は枠部材をそれぞれ示す。図に示すように、水槽本体１は、底板１０より側壁２０が立設され、それら側壁２０同士は支柱３０によって連結されている。更に、側壁２０及び支柱３０の上部には、枠部材４０が取り付けられる。
【００１５】
図２は、本発明に係る組み立て式水槽の底板１０の平面図である。図に示すように、底板１０にはその辺縁に沿って、側壁２０の下辺部を嵌合するための溝部１０１が形成されており、更に、その角部には、支柱３０を固定するためのネジ孔１０２が形成されている。
【００１６】
図３は、本発明に係る組み立て式水槽の枠部材４０の平面図である。図に示すように、枠部材４０は一体的に成型された枠体であり、その角部には、枠部材４０を支柱３０に固定するためのネジ孔４０１が形成されている。なお、枠部材４０の底面部には、側壁２０の上辺部を嵌合するための溝部を形成してもよい。
【００１７】
図４は、本発明に係る組み立て式水槽の側壁２０の平面図である。図に示すように、側壁２０の周縁には、パッキン２１が取り付けられている。図５はパッキン２１の取り付け部分を拡大した断面図であり、この図に示すように、パッキン２１には側壁２０を嵌合可能な溝部２１１が形成されており、ここに側壁２０の縁部を嵌め込むことによりパッキン２１を取り付けることができる。このように、パッキン２１は嵌め込み式のため、取り外しも容易であり、経時変化などによる劣化が生じたときにも簡単に交換することができる。側壁２０の素材としては、水槽内をクリアに透視可能で且つ、耐傷性に優れたものであればよく、特に、ガラス、アクリル樹脂などが好ましい。また、パッキン２１の素材としては、弾性を有するとともに、防水性に優れた素材であればよく、特に、ゴム、シリコンなどが好ましい。
【００１８】
図６は、本発明に係る組み立て式水槽の支柱３０を構成する部材の斜視図である。図中、３１は受け部材、３２は押さえ部材を示す。また、図７は、受け部材３１に押さえ部材３２を取り付けた状態を示す平面図である。図に示すように、受け部材３１は、水槽外側より側壁２０を支持する翼片３１０を対に設けた平面視略Ｔ字形に形成されており、翼片３１０の内側には、パッキン２１をあてがうための凹部３１１が形成されている。受け部材３１の外側側面部（平面視上辺部）には、反対側まで貫通するようにネジ孔３１２が設けられ、同天面部には枠部材４０を固定するためのネジ孔３１３が、同底面部には底板１０に固定するためのネジ孔３１４が（図示せず）、それぞれ形成されている。なお、受け部材３１の底面部には、防水のためのパッキンなどを施すことが好ましい。
【００１９】
図７に示すように、押さえ部材３２は、平面視略台形に形成されており、受け部材３１への取り付け時にはその上辺部が受け部材３１の平面視下辺部と密接し、更に、その横辺部３２１が受け部材３１の凹部３１１とともに、側壁２０の縁部を挟持可能な溝部を形成する。該溝部は、後述するように、パッキン２１を挟み込み、側壁２０を固定するため、その開口幅Ｙは、側壁２０取り付け時のパッキン２１の厚さＸよりも狭く形成することが望ましく、その水密性をより向上させるためには、開口幅Ｙは、パッキン２１を十分に圧迫しつつ、押さえ部材３２の取り付け可能な程度に設定することがより望ましい。なお、押さえ部材３２の受け部材３１に密接する側面には、ネジ孔３１２に対応する位置にネジ孔が形成されている（図示せず）。
【００２０】
図８は、本発明に係る組み立て式水槽の支柱３０によって側壁２０を固定している状態を示す断面図である。図に示すように、受け部材３１の凹部３１１に側壁２０の周縁のパッキン２１をあてがい、水槽内より押さえ部材３２を受け部材３１に取り付けることによって、該周縁パッキン２１部分を挟み込み、固定する。押さえ部材３２の取り付けは、水槽外部よりネジ３３をネジ孔３１２および該ネジ孔に対応する押さえ部材３２のネジ孔に挿入、締め付けることにより行われる。ここで、開口幅Ｙはパッキン２１の厚さＸよりも狭く形成されているため、ネジ３３を締め付けることにより押さえ部材３２の横辺部３２１がパッキン２１に強く圧接され、十分な水密性を確保することができる。支柱３０や枠部材４０の素材としては、耐錆性および強度に優れたものが望ましく、とくに、アルミニウムやステンレスが好ましい。
【００２１】
以下に、本発明に係る組み立て式水槽の組み立て方法について説明する。まず、底板１０の四隅に受け部材３１を立設する。具体的には、受け部材３１の底面のネジ孔３１４を底板１０のネジ孔１１に合わせた後、底板１０の裏面よりネジにより固定する。
【００２２】
次に、パッキン２１が取り付けられた側壁２０の横辺部を受け部材３１の溝部３１１にあてがいながら、該下辺部を底板１０の溝部１１に嵌め込み、底板１０より側壁２０を仮設させる。
【００２３】
次に、水槽内側より押さえ部材３２を上述の要領で受け部材３１に取り付け、側壁２０同士を固定する。
【００２４】
最後に、枠部材４０を側壁２０と支柱３０の上にネジ孔の位置を合わせて載置した後、天面よりネジで固定する。以上で、本発明に係る組み立て式水槽の組み立ては終了する。
【００２５】
図９は、本発明に係る組み立て式水槽にいわゆるオーバーフロー式濾過システムを組み込んだ実施態様をあらわす図である。図中、２は濾過槽を、３はポンプを、４は給水管を、５は配水管をそれぞれ示す。
【００２６】
図１０は、図９の実施態様に用いられる支柱３０の断面図である。図に示すように、本実施態様では、押さえ部材３２は内部に水路３２１を形成した中空構造となっている。そして、水路３２１は押さえ部材３２の底面まで貫通している。
【００２７】
図１１は、図９の実施態様で給水側に用いられる支柱３０の斜視図、更に、図１２は図９の実施態様で排水側に用いられる支柱３０の斜視図をそれぞれ示す。図に示すように、給水側に用いられる支柱３０の水槽内側の上部側面には、水路３２１に連通するように給水口３２２が設けられ、更に、排水側に用いられる支柱３０の水槽内側の上部および下部側面には、水路３２１に連通するように排水口３２３および３２４が設けられている。そして、底板１０には、支柱３０取り付け位置で、支柱３０に設けられた水路３２１に対応する位置に、取排水用の開口部が形成されている（図示せず）。
【００２８】
図９に示すように、給水管４の先端は底板１０に形成された取水用の開口部を介して、給水口３２２が形成された支柱３０の水路３２１に連接されている。同様に、排水管５の先端は底板１０に形成された排水用の開口部を介して、排水口３２３、３２４が形成された支柱３０の水路３２１に連接されている。このように、給水側を水槽背面側の支柱３０に、排水側を水槽正面側の支柱３０に接続することによって、水槽内には給排水による対流が生じ、水槽水を均一に濾過することができる。
【００２９】
このように、オーバーフロー式濾過システムの給排水路を支柱３０の内部に形成することにより、水槽内に濾過用の給排水管が露出することがなくなり、水槽鑑賞時の美観を損なうおそれがなくなる。
【産業上の利用可能性】
【００３０】
以上説明したように、本発明に係る組み立て式水槽は家庭用の水槽に利用できるのみならず、業務用の大型水槽にも応用可能なものである。とりわけ、従来、水族館などの大型水槽の設置は、材料を現場に搬入した後、施行することが一般的であったが、本発明に係る組み立て式水槽であれば組み立ても容易なため、現場施行より効率的に行うことができる。
【図面の簡単な説明】
【００３１】
【図１】本発明に係る組み立て式水槽の組み立て時の態様を示す斜視図。
【図２】本発明に係る組み立て式水槽の底板１０の平面図。
【図３】本発明に係る組み立て式水槽の枠部材４０の平面図。
【図４】本発明に係る組み立て式水槽の側壁２０の平面図。
【図５】パッキン２１の取り付け部分を拡大した断面図
【図６】本発明に係る組み立て式水槽の支柱３０を構成する部材の斜視図。
【図７】受け部材３１に押さえ部材３２を取り付けた状態を示す平面図。
【図８】本発明に係る組み立て式水槽の支柱３０によって側壁２０を固定している状態を示す断面図。
【図９】本発明に係る組み立て式水槽にいわゆるオーバーフロー式濾過システムを組み込んだ実施態様をあらわす図。
【図１０】図９の実施態様に用いられる支柱３０の断面図。
【図１１】図９の実施態様で給水側に用いられる支柱３０の斜視図。
【図１２】図９の実施態様で排水側に用いられる支柱３０の斜視図。
【符号の説明】
【００３２】
１  …  …  水槽本体
２  …  …  濾過槽
３  …  …  ポンプ
４  …  …  給水管
５  …  …  配水管
１０  …  …  底板
２０  …  …  側壁
２１  …  …  パッキン
３０  …  …  支柱
３１  …  …  受け部材
３２  …  …  押さえ部材
４０  …  …  枠部材
１０１  …  …  溝部
１０２  …  …  ネジ孔
２１１  …  …  溝部
３１０  …  …  翼片
３１１  …  …  凹部
３１２  …  …  ネジ孔
３１３  …  …  ネジ孔
３１４  …  …  ネジ孔
３２１  …  …  水路
３２２  …  …  給水口
３２３  …  …  排水口
３２４  …  …  排水口
４０１  …  …  ネジ孔
Ｘ    …  …  側壁取り付け時のパッキン２１の厚さ
Ｙ    …  …  溝部３１１の開口幅Ｙ
以    上
【図１】
2008212042.tif 000003
【図２】
2008212042.tif 000004
【図３】
2008212042.tif 000005
【図４】
2008212042.tif 000006
【図５】
2008212042.tif 000007
【図６】
2008212042.tif 000008
【図７】
2008212042.tif 000009
【図８】
2008212042.tif 000010
【図９】
2008212042.tif 000011
【図１０】
2008212042.tif 000012
【図１１】
2008212042.tif 000013
【図１２】
2008212042.tif 000014